(57)【要約】【課題】患者が車椅子に乗ったままの状態で、或いは、往診先で、患者が自宅の椅子に座ったままの状態で、頭部を安定に保持して、該治療を受けることができるようにした安頭具を提供する。【解決手段】安頭台３０と、安頭台３０が着脱自在に装着される安頭台固定板４０とから成り、安頭台固定板４０は椅子の背凭れに立掛け可能である。患者が椅子に座ったままの状態で、背中を少し前方に動かすだけで、安頭台固定板４０を患者の背中と椅子の背凭れの間に上方より挿入することにより、安頭台３０を設定することができる。【選択図】図１
2013106683.tif 000002
【特許請求の範囲】
【請求項１】
安頭台と、該安頭台が着脱自在に装着される安頭台固定板とから成り、前記安頭台固定板は椅子の背凭れに立掛け可能であることを特徴とする安頭具。
【請求項２】
前記安頭台は、該安頭台を上端に支持する安頭台支持杆を有し、前記安頭台固定板は、裏面に前記安頭台支持杆が挿通固定される安頭台支持杆挿入固定部を有し、該安頭台支持杆挿入固定部に前記安頭台支持杆を挿通し、固定するようにしたことを特徴とする請求項１に記載の安頭具。
【請求項３】
前記安頭台固定板は、表面上方に磁石又は面ファスナーを有し、前記安頭台は、裏面に前記磁石又は面ファスナーと共働して該安頭台を前記安頭台固定板に接合する磁石又は面ファスナーを有することを特徴とする請求項１に記載の安頭具。
【請求項４】
前記安頭台は、前記安頭台固定板に対して高さ位置を調節して取り付け可能であることを特徴とする請求項１乃至３のいずれかに記載の安頭具。
【発明の詳細な説明】
【技術分野】
【０００１】
本発明は、車椅子の患者や訪問介護を受ける患者に対して、車椅子又は椅子に座ったままの状態で、患者の頭部を安定して支持固定するための持ち運び可能な安頭具に関する。
【背景技術】
【０００２】
図３は、車椅子の患者の歯科治療を行うのに用いて好適な安頭台の一例を示す図で（特許文献１）、図中、１は車椅子、１０は安頭台で、該安頭台１０は、車椅子１の把持部２，２間に着脱可能に装着されるアーム１１を有し、該アーム１１に安頭台１０が装着されている。車椅子１の把持部２，２にアーム１１の両端１２，１２を固定することで、車椅子１に安頭台１０を固定することができ、患者は車椅子１に乗ったままの状態で、歯科治療を受けることができる。
【０００３】
上記安頭台は、車椅子の患者に対して、患者が車椅子に乗ったままの状態で、患者の姿勢を安定して固定し、所望の治療を行うことができるものであるが、最近、高齢化の時代を迎え、車椅子の患者ばかりでなく、医師が患者の家庭に赴いて診療を行う往診治療が多くなってきている。
【０００４】
図４は、往診用に開発された安頭台で（特許文献２）、図中、２０は安頭台で、該安頭台２０は、両側が患者の頭部を押え込むように形成されたクッション部材２１と、該クッション部材２１の両側を支持する一対のクッション支持支柱２２Ｒ，２２Ｌとから成り、これらクッション支持支柱２２Ｒ，２２Ｌの頂部にはクッション部材２１の軸２１ａが挿通される縦長のスリット孔２３ａ（２３ｂ）が設けられ、このスリット孔２３ａ（２３ｂ）に沿って軸２１ａを上下して、クッション部材２１の高さを調整可能にしている。なお、軸２１ａの両端にはねじ穴が設けられており、このねじ穴にねじ２４Ｒ（２４Ｌ）を螺合して、クッション部材２１を支持支柱２２Ｒ，２２Ｌに固定できるようにしている。
【０００５】
上述のように、歯科治療において、車椅子の患者に対しては、車椅子に着脱自在に設置可能な安頭台を提供し、患者が車椅子に乗ったままの状態で、歯科治療をうけることができるようにし、往診診療に対しては、往診先まで持参し、患者の頭部を安定して保持可能な安頭台を提供し、患者を寝状態にしたままの状態で診療できるようにした安頭台が提案されている。
【０００６】
而して、車椅子の患者や訪問介護を受ける患者に対し、頭部を後傾させる処置（歯科治療、接触嚥下指導など）を行う際、現在では通常、患者の頭を固定するため、衛生士、看護士ら（アシスタント）が患者の後ろに回って患者の頭を支える等して、診療を行っている。しかし、患者の頭部を簡単に支えることができれば、アシスタントの負担と、患者側の不快感が減り、アシスタントは他の仕事をすることができ、作業効率が向上する。
【０００７】
また、最近では、高齢化が進み、往診先において、寝起きの動作が不自由な老人が多く、そのため、自宅の椅子に座ったままの状態での診療を希望する患者が多く、一方、術者もその方（立位での診療の方）が診療しやすく、往診先での立位の診療が望まれていた。
【先行技術文献】
【特許文献】
【０００８】
【特許文献１】実開平７−７６２６号公報
【特許文献２】特開２００２−３４５９０６号公報
【発明の概要】
【発明が解決しようとする課題】
【０００９】
本発明は、上述のごとき実情に鑑みてなされたもので、患者が車椅子に乗ったままの状態で、或いは、往診先で、患者が自宅の椅子に座った状態で該治療を受けることができるようにした安頭具を提供することを目的としてなされたものである。
【課題を解決するための手段】
【００１０】
上記課題を解決するために、請求項１の発明は、安頭台と、該安頭台が着脱自在に装着される安頭台固定板とから成り、前記安頭台固定板は椅子の背凭れに立掛け可能であることを特徴としたものである。
【００１１】
請求項２の発明は、請求項１の発明において、前記安頭台は、該安頭台を上端に支持する安頭台支持杆を有し、前記安頭台固定板は、裏面に前記安頭台支持杆が挿通固定される安頭台支持杆挿入固定部を有し、該安頭台支持杆挿入固定部に前記安頭台支持杆を挿通し、固定するようにしたことを特徴としたものである。
【００１２】
請求項３の発明は、請求項１の発明において、前記安頭台固定板は、表面上方に磁石又は面ファスナーを有し、前記安頭台は、裏面に前記磁石又は面ファスナーと共働して該安頭台を前記安頭台固定板に接合する磁石又は面ファスナーを有することを特徴としたものである。
【００１３】
請求項４の発明は、請求項１乃至３のいずれかの発明において、前記安頭台は、前記安頭台固定板に対して高さ位置を調節して取り付け可能であることを特徴としたものである。
【発明の効果】
【００１４】
本発明によると、車椅子の患者は勿論、往診先においても、患者は椅子に座ったままの状態で、頭部を安定に保持されて診療を受けることができるので、診療に当って、患者は寝起き等の移動をすることなく診療を受けることができ、患者の負担を減らし、患者に不快感を与えることなく診療を行うことができる。
【００１５】
診療中、アシスタントは、患者の頭部を押えている必要がないので、他の作業をすることができ、作業効率が向上する。また、術者は、往診先において、立位での診療が可能となり、楽な体勢で診療を行うことができる。
【図面の簡単な説明】
【００１６】
【図１】本発明による安頭具の一実施例を説明するための要部構成図である。
【図２】本発明による安頭具の他の実施例を説明するための要部構成図である。
【図３】従来の車椅子の患者に適合した安頭台の例を説明するための図である。
【図４】従来の往診診療に用いるのに適した安頭台の例を説明するための図である。
【発明を実施するための形態】
【００１７】
図１は、本発明による安頭具の一実施例を説明するための要部構成図で、図中、３０は安頭台、４０は該安頭台３０を着脱自在に固定するための安頭台固定板で、該安頭台固定板４０の裏面には、安頭台の支持杆３１を挿脱、固定するための安頭台支持杆挿入固定部４１を有する。安頭台３０と安頭台固定板４０は、往診時、取り外して別体として持ち運び、往診先にて図示のように組み立て、安頭台固定板４０を椅子の背凭れに立て掛けて使用する。患者は、背凭れから少し前方に動かすのみで、安頭台４０を上方から患者の背中と背凭れの間に挿入することができる。
【００１８】
安頭台３０は、安頭台固定板４０に対して、上下方向（矢印方向）に高さ調整可能となっており、患者の体形、椅子の高さ等に応じて、治療しやすい高さに調整可能になっている。また、安頭台固定板４０は、例えば、図示のように、両側に運搬用の穴４２ａ，４ｂが設けられている。また、持ち運びが楽になるように、軽量素材（例えば、カーボン、木材、アルミ合金等）で形成されている。なお、安頭台３０は、医院内において治療椅子に取り付けられて使用されている安頭台を取り外して使用することができ、経済的である。
【００１９】
図２は、本発明の他の実施例を説明するための要部構成図で、この実施例は、安頭台固定板４０の表面上部側に磁石、面ファスナー等の接着剤を有し、同時に、これに対して、安頭台３０の裏面側に磁石、面ファスナー等を有し、これらによって、安頭台３０を安頭台固定具４０に対して着脱自在に、かつ、高さ位置を調整して取り付け可能にしたものである。
【００２０】
上述のように、本発明によると、車椅子の患者に対しても、往診先での患者に対しても、椅子に座ったままの状態で頭部を安定に保持して診療を行うことができ、診療に当って、患者は、身体を移動させる必要がないので、移動に伴う苦痛を伴うことなく、診療を受けることができる。
【００２１】
術者は、診療しやすい立位で診療を行うことができ、アシスタントは、患者の頭部を押えている必要がないので、その分、他の作業をすることができ、診療を効率よく行うことができる。
【符号の説明】
【００２２】
１…車椅子、２…車椅子の把持部、１０…安頭台、１１…安頭台支持アーム、２０…安頭台、３０…安頭台、３１…安頭台支持杆、４０…安頭台固定板、４１…安頭台支持杆挿入固定部、４２ａ，４２ｂ…持ち運び用の孔、４３…磁石又は面ファスナー。
【図１】
2013106683.tif 000003
【図２】
2013106683.tif 000004
【図３】
2013106683.tif 000005
【図４】
2013106683.tif 000006